(57)【要約】【課題】  部品の組み立ておよび機械加工のコストを軽減することができる、ピニオンの回動運動をスライダの並進運動に変換する装置、およびその装置を備えるバルブを提供する。【解決手段】  ピニオン（８）は、固定された管状の壁（１１）を有する、スライダ（４）の支持部材（１０）に相対的に回動するように取り付けられており、管状の壁には、回動運動をするピニオンおよび並進運動をするスライダに連結されている支持素子（１７）に取り付けられているフォロアローラー（１６）と協働するための少なくとも１つのカム面が形成されており、ピニオンは、管状の壁に同軸に、支持部材によって支えられている。【選択図】図１
2010525247.tif 000002
【特許請求の範囲】
【請求項１】
スライダ（４）の支持部材（１０）と、回動運動をするピニオン（８）および並進運動をする前記スライダに連結されている支持素子（１７）とを備え、前記ピニオンは、固定された管状の壁（１１）を有する前記支持部材（１０）に相対的に回動するように取り付けられており、前記管状の壁には、前記支持素子（１７）に取り付けられているフォロアローラー（１６）と協働するための少なくとも１つのカム面（１５）が形成されている、ピニオンの回動運動をスライダの並進運動に変換するための装置であって、前記ピニオンは、前記管状の壁に同軸に、前記支持部材によって支えられていることを特徴とする変換装置。
【請求項２】
前記支持部材（１０）は、前記管状の壁（１１）と共軸に配置されており、かつ前記ピニオン（８）を取り付けられている中心ピン（１３）を有している、請求項１に記載の装置。
【請求項３】
前記支持部材（１０）は、前記中心ピン（１３）が一体化されている凹所（１２）を有する鐘状形状を呈しており、この凹所(１２)は、前記ピニオン（８）を前記支持素子（１７）に連結させるための連結素子（１８）を通過させるための開口（２１）を有している、請求項２に記載の装置。
【請求項４】
前記カム面（１５）は、前記管状の壁（１１）に形成された溝（１４）の端によって構成されている、請求項１〜３のいずれか１つに記載の装置。
【請求項５】
前記ピニオン（８）と前記支持素子（１７）とを連結させる部分を構成している、前記ピニオンから前記支持素子まで延在する脚部を備えている、請求項１〜４のいずれか１つに記載の装置。
【請求項６】
前記脚部は、前記ピニオン（８）に固定された一端部と、前記支持素子（１７）に形成された受け溝（１９）の内部に、スライド可能に嵌め込まれている他端部とを有する、請求項５に記載の装置。
【請求項７】
前記受け溝（１９）に、低摩擦係数のライナー（２０）が備えられている、請求項６に記載の装置。
【請求項８】
前記支持素子（１７）の両端に、それぞれ１つのフォロアローラー（１６）が設けられている、請求項１〜７のいずれか１つに記載の装置。
【請求項９】
前記ピニオン（８）は、ぎざぎざの扇形状を呈している、請求項１〜８のいずれか１つに記載の装置。
【請求項１０】
バルブヘッド（３）を、内部でスライドさせるシリンダ（１）が備えられており、該バルブヘッド（３）は、回転駆動モータ（５）の出力ピニオン（６）と噛み合っているピニオン（８）の回動運動を、前記バルブヘッドに連結されているスライダ（４）の並進運動に変換する変換装置（９）を介して、前記出力ピニオンに連結されているバルブであって、前記装置（９）は、請求項１〜９のいずれか１つに記載の変換装置であることを特徴とするバルブ。
【発明の詳細な説明】
【技術分野】
【０００１】
本発明は、ピニオンの回動運動をスライダの並進運動に変換するための装置、およびこの装置を備えるバルブに関する。このタイプのバルブは、例えば自動車の熱エンジンの排気ガス再循環回路において用いることができる。
【背景技術】
【０００２】
このタイプのバルブは、一般に、内部でバルブヘッドをスライドさせるシリンダを備えている。バルブヘッドは、回転モータの出力ピニオンと噛み合っているピニオンの回動運動を、バルブヘッドに連結され、かつガイドライナーを介して、シリンダの内部にスライド可能に取り付けられているスライダの並進運動に変換する装置を介して、回転モータの出力ピニオンに連結されている。このピニオンは、シリンダの内部に固定された管状の壁を有するスライダ支持部材に、相対的に回動するように取り付けられている。管状の壁には、ピニオンの回転に連動して、偏心したフォークによって回転駆動され、かつスライダの一端で回動するように取り付けられている支持素子に取り付けられたフォロアローラーと協働するカム面が形成されている。したがって、この支持素子は、ピニオンによって回転駆動され、それによって、フォロアローラーは、支持素子の運動に並進運動成分をもたらすように作られているカム面に沿って変位する。それによって、スライダおよびバルブヘッドは並進運動させられる。
【０００３】
ピニオンは、その回転軸となるスピンドルの一端と一体化されており、スピンドルの他端は、支持素子を回転駆動するフォークと一体化されている。スピンドルは、シリンダに固定されたプレートに圧嵌めされた回転式のガイドライナーに回動可能に嵌め込まれている。バルブおよび変換装置の正確な動作ならびに長寿命を達成するためには、シリンダ、バルブヘッド、管状の壁、プレート、ガイドライナー、スピンドル、ピニオン、およびフォーク間の精密な相対的位置決めが要求される。このようにしなければ、これらの部品の全てまたはいくつかが、早期に摩耗する。要求される位置決め精度を達成するためには、部品の組み立ておよび機械加工のコストが相当に高くなる。
【発明の概要】
【発明が解決しようとする課題】
【０００４】
本発明は、部品を配置するコストを低減させるために、運動の変換装置の組み立てを複雑にする制約を減らすことを目的とするものである。
【課題を解決するための手段】
【０００５】
この目的を達成するために、本発明は、スライダの支持部材と、回動運動をするピニオンおよび並進運動をするスライダに連結されている支持素子とが設けられており、ピニオンは、固定された管状の壁を有する支持部材に相対的に回動するように取り付けられており、管状の壁には、支持素子に取り付けられているフォロアローラーと協働するための少なくとも１つのカム面が形成されており、ピニオンは、管状の壁に同軸に、支持部材によって支えられている、ピニオンの回動運動をスライダの並進運動に変換するための装置を提供するものである。
【０００６】
したがって、ピニオンは、プレートの介在なしに、支持部材に直接取り付けられている。そのため、ピニオンと支持部材との間の正確な相対的位置決めが、容易に達成される。
【０００７】
有利な一実施形態においては、支持部材は、管状の壁と共軸に配置されており、かつピニオンを取り付けられている中心ピンを有しており、さらに、支持部材は、中心ピンが一体化されている凹所を有する鐘状形状を呈しており、この凹所は、ピニオンを支持素子に連結させるための連結素子を通過させるための開口を有していることが好ましい。
【０００８】
これにより、支持部材と中心ピンとを、容易に一体として作ることができる。
【０００９】
この装置は、ピニオンと支持素子とを連結させる部分を構成している、ピニオンから支持素子まで延在する脚部を備えていることが好ましい。この脚部は、ピニオンに固定された一端部と、支持素子に形成された受け溝の内部に、スライド可能に嵌め込まれている他端部とを有している。この受け溝には、低摩擦係数のライナーが設けられていると有利である。
【００１０】
構造的に単純な、この連結させる部分は、ピニオンに直接埋め込まれている。これによって、部品数および装置重量が減少させられる。
【００１１】
本発明は、さらに、バルブヘッドを内部でスライドさせるシリンダが設けられており、バルブヘッドは、回転駆動モータの出力ピニオンと噛み合っているピニオンの回動運動を、バルブヘッドに連結されているスライダの並進運動に変換する上述の装置を介して、出力ピニオンに連結されているバルブに関する。
【００１２】
このバルブの構造は、相当に単純であり、その組立は簡単である。
【００１３】
本発明の特定の非限定的な一実施形態に関する以下の説明を読むことによって、本発明の他の特徴および利点が明白になると思う。
【図面の簡単な説明】
【００１４】
【図１】本発明によるバルブの部分断面図である。
【図２】図１の、運動を変換する装置の組立分解斜視図である。
【図３】図２の装置の部分切り欠き斜視図である。
【発明を実施するための形態】
【００１５】
添付図面を参照して、本発明の特定の非限定的な一実施形態を説明する。
【００１６】
図に示すように、本発明のバルブは、スライダ４を構成しているロッドの一端と一体化されたバルブヘッド３のための弁座２の輪郭を画定しているシリンダ１を備えている。スライダ４は、バルブヘッド３が弁座２に接している閉弁位置と、バルブヘッド３が弁座２から離れている開弁位置との間でスライドするように、シリンダ１内に取り付けられている。
【００１７】
スライダ４、したがってバルブヘッド３が並進運動を行うように、モータ５が、シリンダ１に固定されている。モータ５は、歯車列７を介して、ぎざぎざの扇形状を有するピニオン８に連結された出力ピニオン６を備えている。歯車列７は、シリンダ１に取り付けられている。出力ピニオン６、歯車列７、およびピニオン８は、スライダ４がスライドする方向に平行な軸のまわりに回動する。ピニオン８は、大まかに示されている、ピニオン８の回動運動をスライダ４の並進運動に変換する変換装置９に連結されている。
【００１８】
変換装置９は、シリンダ１の内側に固定された鐘状の支持部材１０を備えている。支持部材１０は、スライダ４のスライド方向と同心の管状の壁１１、および管状の壁１１と共軸の中心ピン１３と一体化された凹所１２を有している。ピニオン８は、回動自在に、中心ピン１３に取り付けられている。したがって、支持部材１０は、ピニオン８を直接に支えている。
【００１９】
２つの溝１４が、管状の壁１１の、直径方向に対向し合う２つの位置に１つずつ、横方向に形成されている。各溝１４は、ほぼ、螺旋の一部分の形状をしており、その傾斜形状の下面は、ローラー１６が回転するカム面１５を構成している。ローラー１６は、支持素子１７の両端に取り付けられている。支持素子１７は、バルブヘッド３から遠い側の、スライダ４の端部に、回動可能に取り付けられており、かつ管状の壁１１の内側空間中を直径方向に延在している。支持素子１７は、スライダ４に対して並進しないように、スライダ４に取り付けられている。
【００２０】
支持素子１７は、連結素子１８を介して、ピニオン８の回転に連動する。連結素子１８の各々は、スライド方向に平行に突き出ている脚部によって構成されており、ピニオン８と一体化された一端部と、支持素子１７に形成されている受け溝１９内で、低摩擦係数のライナー２０にスライド可能に嵌合している他端部とを有している。ライナー２０と一体に、ローラー１６のための軸受が形成されていることに注意されたい。円弧形状の開口２１が、凹所１２に形成されているために、連結素子１８は、凹所１２を貫通して、中心ピン１３を中心とした円弧内で変位することができる。
【００２１】
出力ピニオン６が回転すると、その出力ピニオン６は、歯車列７を介してピニオン８を回転させる。ピニオン８は、連結素子１８を介して支持素子１７を回転させる。支持素子１７が回転すると、ローラー１６が、カム面１５に沿って変位する。ローラー１６がカム面１５に沿って変位することによって、支持素子１７に並進運動成分が生じ、したがってスライダ４およびバルブヘッド３が並進運動する。支持素子１７は、スライダ４に対して回動可能であるから、連結素子１８を介してピニオン８によって回転駆動されているとき、バルブヘッド３にトルクを及ぼさず、したがって、弁座に対するバルブヘッド３の摩擦が制限される。
【００２２】
当然のことながら、本発明は、前述の実施形態に限定されるものではなく、請求項によって定められている本発明の範囲内にある全ての変形例を包含するものである。
【００２３】
特に、ピニオン８の回転をガイドするための手段は、中心ピン１３のような雄部品によって構成されていてもよいし、ピニオン８の周囲をガイドするように作られたハウジングのような雌部品によって構成されていてもよい。中心ピン１３は、支持部材１０の凹所１２に堅く固定されていてもよい。
【００２４】
支持部材１０の形状は、前述の形状と異なっていてもよい。例えば凹所１２を、中心ピン１３を支持するための直径方向のビームで置き換えてもよい。
【００２５】
連結素子１８を構成している脚部は、その一端部を、支持素子１７と一体化されており、他端部を、ピニオン８に形成された受け溝中でスライドするように取り付けられていてもよい。
【００２６】
連結素子１８の構造は、前述の構造と異なっていてもよく、例えば支持素子１７を駆動するためのフォークで構成されていてもよい。
【００２７】
カム面１５は、管状の壁１１上に突き出たリブで構成されていてもよい。
【００２８】
ピニオン８は、ベルトまたは他の任意の動力伝達手段によって、モータの出力ピニオンに連結されていてもよい。モータの軸がスライド方向に対してある角度をもつように、モータを取りつけてもよい。
【符号の説明】
【００２９】
１  シリンダ
２  弁座
３  バルブヘッド
４  スライダ
５  モータ
６  出力ピニオン
７  歯車列
８  ピニオン
９  変換装置
１０  支持部材
１１  管状の壁
１２  凹所
１３  中心ピン
１４  溝
１５  カム面
１６  ローラー
１７  支持素子
１８  連結素子
１９  受け溝
２０  ライナー
２１  開口
【図１】
2010525247.tif 000003
【図２】
2010525247.tif 000004
【図３】
2010525247.tif 000005
【国際調査報告】
2010525247.tif 000006
2010525247.tif 000007
2010525247.tif 000008
2010525247.tif 000009